(57)【要約】      （修正有）【課題】従来のカレンダーとしての機能に、競馬の馬券攻略に関する具体的方法論を一体化し、実生活と娯楽要素を兼備する競馬情報付きカレンダーを提供する。【解決手段】競走馬の写真又は絵と月別カレンダーとが交互に表記されるページ部分と、競走馬に関する情報が表記されるページ部分とを含むことを特徴とする。競走馬に関する情報としては、馬券攻略に関する具体的方法論などの娯楽に関する情報が表記されている。【選択図】図３
0003166628.tif 000002
【実用新案登録請求の範囲】
【請求項１】
競馬の馬券攻略に関する具体的方法論により馬券の的中率と収支の向上を図る馬券攻略法及びカレンダー。
【考案の詳細な説明】
【考案の詳細な説明】
【技術分野】
【０００１】競馬の馬券攻略に関する具体的方法論をカレンダー本体に付属するものである。
【背景技術】
【０００２】従来のカレンダーは一年間の月日などを日を追って記したものとして実生活の中で使用していた。
【考案が解決しようとする課題】
【０００３】従来のカレンダーとしての機能に、競馬の馬券攻略に関する具体的方法論によって、実生活と娯楽としての多目的用途と必要性を兼備しようとするものである。
【課題を解決するための手段】
【０００４】本考案は、カレンダーに競馬の馬券攻略に関する内容を付属する。具体的には過去の実績を独自に収集し分析した基準値をベースに競走馬毎に開催場所・距離・ペース・馬場状況など必要項目を基に、各馬の能力値を算出し、より能力の高い馬を把握するという競馬競走の馬券的中装置であり、よって的中率を高くすることができ実生活とレジャー娯楽の上で機能性と必要性を兼備したものである。
【考案の実施形態】
【０００５】まず従来のカレンダーがあり、その下に馬券攻略法を付属する形態。カレンダーの馬券攻略法に従い、競馬の馬券攻略に関する具体的方法で軸馬や対抗馬の選定ができ、またカレンダーを付属する為、競馬開催日時の把握に便利である。
【考案の効果】
【０００６】以下、添付図面にしたがって一実施例を説明する。１はカレンダー本体、２は馬券攻略法に関する説明。カレンダー本来の役目と馬券攻略法として機能を兼ね備えたカレンダーである。競馬攻略法としては出走各馬の直近５走の範囲で開催場所・距離・ペース・馬場状況・タイムなどの必要項目を基に、馬個別の能力ポイントを算出。能力上位馬を指定する購入法で購入する。競馬の馬券攻略に関する具体的方法で軸馬や対抗馬の選定ができ、競馬競走が芝コースの場合およびダートコースの場合によって別個に作られた競馬競走の馬券的中装置であり、的中率を高くすることができる。
【図面の簡単な説明】
【図１】本考案の馬券攻略法付属カレンダーの一実例を示す立面図である。
【符号の説明】１  カレンダー
２  馬券攻略法に関する説明
【図１】
0003166628.tif 000003
【手続補正書】
【提出日】平成22年6月8日(2010.6.8)
【手続補正１】
【補正対象書類名】実用新案登録請求の範囲
【補正対象項目名】全文
【補正方法】変更
【補正の内容】
【実用新案登録請求の範囲】
【請求項１】
競馬の馬券攻略に関する具体的方法論により馬券の的中率と収支の向上を図る馬券攻略法及びカレンダー。
【手続補正２】
【補正対象書類名】明細書
【補正対象項目名】全文
【補正方法】変更
【補正の内容】
【考案の詳細な説明】
【考案の詳細な説明】
【技術分野】
【０００１】競馬の馬券攻略に関する具体的方法論をカレンダー本体に付属するものである。
【背景技術】
【０００２】従来のカレンダーは一年間の月日などを日を追って記したものとして実生活の中で使用していた。
【考案が解決しようとする課題】
【０００３】従来のカレンダーとしての機能に、競馬の馬券攻略に関する具体的方法論を一体化し、実生活と娯楽要素を兼備しようとするものである。
【課題を解決するための手段】
【０００４】馬券購入の要素には馬の直近の成績・血統・騎手のレベル・調教・出目・コース相性・芝ダート能力など多岐にわたる。
例えば競馬の場合、競馬場によって平坦なコースもあれば坂の高低差があるコースがあったり、緩やかなカーブコース・急なカーブコースなど様々であり過去の走破タイムのみを単純に比較はできない。
そのため過去の成績を徹底的に分析し、攻略法の基となる「基準タイム」を作成した。
基準タイムとは▲１▼走破タイム（全体タイム）▲２▼前半３ハロンタイム▲３▼後半３ハロンタイム▲４▼中間タイムの４つに分類する。
過去のデータの「平均値」を基準値とする。
基準タイムは
▲１▼賞金条件別（未勝利・５００万・１０００万・１５００万・オープン）
▲２▼馬場状態別（良・やや重・重・不良）▲３▼ペース（スロー・ミドル・ハイ）
▲４▼競馬場別▲５▼芝・ダート別▲６▼距離別
上記の細かなファクターも踏まえて作成した。
計算方法は
基準値は１００点。仮にＡ馬のタイムが基準値より０．１秒遅い場合は９９点になる。
Ａ馬のタイムが基準値より０．１秒早い場合は１０１点になる。
▲１▼走破タイム（全体タイム）▲２▼前半３ハロンタイム
▲３▼後半３ハロンタイム▲４▼中間タイム毎に基準値と差異を計算する。
３歳夏までは過去２走。３歳秋から古馬の場合は過去５走を集計し、さらに▲１▼騎手負担重量▲２▼馬場差▲３▼騎手のレベル▲４▼調教師のレベル▲５▼血統のレベルを独自に加減し、全ての平均値がその馬の「能力値」になる。
レース毎に出走する全馬を集計し、能力値の上位の馬を「単勝」「馬連」「３連複」「３連単」で各指定方式で購入する。
【考案の実施形態】
【０００５】本考案は、最初の２４ページは馬の写真（絵）と月別カレンダーを交互に構成したカレンダーになっている。後の１２ページに競馬の馬券攻略法の具体的な内容を付属し、一体化したものである。
【考案の効果】
【０００６】以下、添付図面にしたがって一実施例を説明する。図１−１はカレンダー本体、図１−２は馬券攻略法に関する説明。カレンダー本来の役目と馬券攻略法として機能を兼ね備えたカレンダーである。競馬攻略法としては出走各馬の直近２−５走の範囲で開催場所・距離・ペース・馬場状況・タイムなどの必要項目を基に、馬個別の能力値を算出。能力上位馬を特定の購入法で購入する。
競馬の馬券攻略に関する具体的方法で軸馬や対抗馬の選定ができ、競馬競走が芝コースの場合およびダートコースの場合によって別個に作られた競馬競走の馬券的中装置であり、的中率を高くすることができる。
【図面の簡単な説明】
【図１】本考案の馬券攻略法付属カレンダーの一実例を示す立面図である。
【図２】馬写真付きカレンダー
【図３】馬券攻略法に関する説明
【符号の説明】１  馬写真付きカレンダー
２  馬券攻略法に関する説明
【手続補正４】
【補正対象書類名】図面
【補正対象項目名】全図
【補正方法】変更
【補正の内容】
【図１】
0003166628.tif 000004
【図２】
0003166628.tif 000005
【図３】
0003166628.tif 000006
【手続補正書】
【提出日】平成22年9月14日(2010.9.14)
【手続補正１】
【補正対象書類名】実用新案登録請求の範囲
【補正対象項目名】全文
【補正方法】変更
【補正の内容】
【実用新案登録請求の範囲】
【請求項１】
競馬の馬券攻略に関する具体的方法論により馬券の的中率と収支の向上を図る馬券攻略法に関する情報が表示されたことを特徴とする馬券攻略法付きカレンダー。
【手続補正２】
【補正対象書類名】明細書
【補正対象項目名】全文
【補正方法】変更
【補正の内容】
【考案の詳細な説明】
【技術分野】
【０００１】
本考案は、競馬の馬券攻略に関する具体的方法論の情報をカレンダー本体に付属させた馬券攻略法付きカレンダーに関する。
【背景技術】
【０００２】
従来のカレンダーは、一年間の月日などを日を追って記したものとして実生活の中で使用されている。
【考案の概要】
【考案が解決しようとする課題】
【０００３】
従来のカレンダーは、一年間の月日などに関する情報は表記されているが、競馬の馬券攻略に関する具体的方法論などの娯楽に関する情報が表記されたものはないため、実生活と娯楽要素とを兼備したカレンダーが望まれている。
本考案の目的は、月日などの実生活に関する情報と娯楽に関する情報とを兼備した馬券攻略法付きカレンダーを提供することである。
【課題を解決するための手段】
【０００４】
本考案は、競馬の馬券攻略に関する具体的方法論の情報をカレンダー本体に付属させた馬券攻略法付きカレンダーである。
【考案の効果】
【０００５】
本考案によれば、カレンダーに競馬の馬券攻略に関する内容を付属させる。具体的には、過去の実績を独自に収集した基準値をベースに競走馬毎に開催場所・距離・ペース・馬場状況などの必要項目を基に、各馬の能力値を算出し、より能力の高い馬を把握するという競馬競走の馬券的中装置であり、よって的中率を高くすることができ、実生活とレジャー娯楽の上で機能性と必要性とを兼備したカレンダーを提供することである。
【図面の簡単な説明】
【０００６】
【図１】本考案の一実施形態の馬券攻略法付きカレンダーを示す斜視図である。
【図２】図１に示す馬券攻略法付きカレンダーの馬写真付きカレンダー部分１を示す図である。
【図３】図１に示す馬券攻略法付きカレンダーの馬券攻略法が表記されたカレンダー部分２を示す図である。
【考案を実施するための形態】
【０００７】
以下、添付図面にしたがって本考案の実施形態を説明する。
図１は本考案の一実施形態の馬券攻略法情報付きカレンダーを示す斜視図であり、図２は馬写真付きカレンダーの情報が表記された状態を示す図であり、図３は馬券攻略法に関する情報が表記された状態を示す図である。図２では、最初の２４ページは馬の写真（絵）と月別カレンダーとを交互に構成した状態を示されている。図３では、後の１２ページに競馬の馬券攻略法の具体的な内容を付属させ、一体化した状態が示されている。
本実施形態のカレンダーは、カレンダー本来の役目と馬券攻略法としての機能を兼ね備えたカレンダーである。競馬攻略法としては、出馬各馬の直近２−５走の範囲で開催場所・距離・ペース・馬場状況・タイムなどの必要項目を基に、馬個別の能力値を算出する。能力上位馬を特定の購入法で購入する。
馬券購入の要素には、馬の直近の成績・血統・騎手のレベル・調教・出目・コース相性・芝ダート能力など多岐にわたる。例えば競馬の場合、競馬場によって平坦なコースもあれば坂の高低差があるコースがあったり、緩やかなカーブコース・急なカーブコースなど様々であり、過去の走破タイムのみを単純に比較はできない。そのため過去の成績を徹底的に分析し、攻略法の基となる「基準タイム」を作成した。「基準タイム」とは、(１)走破タイム（全体タイム）、(２)前半３ハロンタイム、(３)後半３ハロンタイム、（４）中間タイムの４つに分類し、過去のデータの「平均値」を基準値とする。
このような基準タイムは、（１）賞金条件別（未勝利・５００万・１０００万・１５００万・オープン）、（２）馬場状態別（良・やや重・重・不良）、（３）ペース（スロー・ミドル・ハイ）、（４）競馬場別、（５）芝・ダート別、（６）距離別であり、上記の細かなファクタも踏まえて作成した。
計算方法は、基準点は１００点。仮にＡ馬のタイムが基準値より０．１秒遅い場合は９９点になる。Ａ馬のタイムが基準値より０．１秒早い場合は１０１点になる。（１）走破タイム（全体タイム）、（２）前半３ハロンタイム、（３）後半３ハロンタイム、（４）中間タイム毎に基準値と差異を計算する。３歳夏までは過去２走。３歳秋から古馬の場合は過去５走を集計し、さらに（５）騎手負担重量、（６）馬場差、（７）騎手のレベル、（８）調教師のレベル、（９）血統のレベルを独自に加減し、全ての平均値がその馬の「能力値」になる。
レース毎に出走する全馬を集計し、能力値の上位の馬を「単勝」、「馬連」、「３連複」、「３連単」の各指定方式で購入する。
このような本実施形態の馬券攻略法情報付きカレンダーによれば、競馬の馬券攻略に具体的方法で軸馬や対抗馬の選定ができ、競馬競走が芝コースの場合およびダートコースの場合によって別個に作られた競馬競走の馬券的中装置であり、的中率を高くすることができる。
【符号の説明】
【０００８】
１  馬写真付きカレンダー
２  馬券攻略法に関する説明
【手続補正３】
【補正対象書類名】図面
【補正対象項目名】全図
【補正方法】変更
【補正の内容】
【図１】
0003166628.tif 000007
【図２】
0003166628.tif 000008
【図３】
0003166628.tif 000009
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
競走馬の写真または絵と月別カレンダーとが交互に表記されるページ部分と、競走馬に関する情報が表記されるページ部分とを含むことを特徴とする競馬情報付きカレンダー。
【手続補正３】
【補正対象書類名】明細書
【補正対象項目名】０００１
【補正方法】変更
【補正の内容】
【０００１】
本考案は、競馬の馬券攻略に関する具体的方法論などの競馬情報をカレンダー本体に付属させた競馬情報付きカレンダーに関する。
【手続補正４】
【補正対象書類名】明細書
【補正対象項目名】０００３
【補正方法】変更
【補正の内容】
【０００３】
従来のカレンダーは、一年間の月日などに関する情報は表記されているが、競馬の馬券攻略に関する具体的方法論などの娯楽に関する情報が表記されたものはないため、実生活と娯楽要素とを兼備したカレンダーが望まれている。
本考案の目的は、月日などの実生活に関する情報と娯楽に関する情報とを兼備した競馬情報付きカレンダーを提供することである。
【手続補正５】
【補正対象書類名】明細書
【補正対象項目名】０００４
【補正方法】変更
【補正の内容】
【０００４】
本考案は、馬の写真または絵と月別カレンダーとが交互に表記されるページ部分と、競馬に関する情報が表記されるページ部分とを含むことを特徴とする競馬情報付きカレンダーである。
【手続補正６】
【補正対象書類名】明細書
【補正対象項目名】０００５
【補正方法】変更
【補正の内容】
【０００５】
本考案によれば、カレンダーに競馬の馬券攻略に関する内容を付属させる。具体的には、過去の実績を独自に収集した基準値をベースに競走馬毎に開催場所・距離・ペース・馬場状況などの必須項目を基に、各馬の能力値を算出し、より能力の高い馬を把握するという競馬競走の馬券的中装置であり、よって的中率を高くすることができ、実生活とレジャー娯楽の上で機能性と必要性とを兼備したカレンダーを提供することができる。